(57)【要約】【課題】患者の移動や体位変換に伴う痛みを軽減し、検査スループットを向上させ、且つ撮影の再現性を向上させる。【解決手段】脊椎撮影用椅子１０において、方形板状の座部１１と、座部１１の両側辺部２８に、回転自在に支持されヘッドレスト２７を有する背もたれ部１２と、背もたれ部１２を水平な位置まで複数の傾斜角度でロックするリクライニング機構１３と、座部１１を支持する一対の側板部１４と、側板下端３４に基枠部３５が固定され座部１１と同一平面となった背もたれ部１２のヘッドレスト２７を下降させる方向の回転モーメントを支持する転倒防止用枠部３６を基枠部３５に延設したベースフレーム１５と、座部下面に近接して平行に配置されるとともにベースフレーム１５にスライド自在に支持され同一平面となった座部１１及び背もたれ部１２の間に渡って移動可能となるＸ線検出器１６と、を設けた。【選択図】図１
2017086480.tif 000002
【特許請求の範囲】
【請求項１】
床面に対して平行に配置される方形板状の座部と、
前記座部の後辺部に沿う方向の回転中心で回転自在に支持される背もたれ部と、
前記背もたれ部を前記座部に対して略垂直な位置から同一平面となる水平な位置までの間の複数の傾斜角度でロックするリクライニング機構と、
前記座部の下面に近接して平行かつスライド自在に支持され、同一平面となった前記座部及び前記背もたれ部の間に渡って移動可能となるＸ線検出器と、を備える、
脊椎撮影用椅子。
【請求項２】
請求項１に記載の脊椎撮影用椅子であって、
前記後辺部に対して前記座部とは反対側にヘッドレストを、更に有する、
脊椎撮影用椅子。
【請求項３】
請求項１又は２に記載の脊椎撮影用椅子であって、
前記座部及び前記背もたれ部には、人体への接触面から映り込み防止距離と等しい厚みを有するクッション性のＸ線透過マットが人体支持面の側に付設されている、
脊椎撮影用椅子。
【請求項４】
請求項１〜３のうちいずれか一項に記載の脊椎撮影用椅子であって、
前記リクライニング機構には、前記背もたれ部の回転を抑制するダンパと、前記座部から垂直に起立して前記背もたれ部のロックを解除するロック解除レバーが設けられ、
前記ロック解除レバーは、前記座部から抜去自在に取り付けられる、
脊椎撮影用椅子。
【請求項５】
請求項１〜４のうちいずれか一項に記載の脊椎撮影用椅子であって、
前記座部には、保持バーが取り付けられ、
前記保持バーは、
前記回転中心と同一方向のバー基端回転中心で、前記後辺部を挟む一対の両側辺部の少なくとも一方に回転自在に支持されるバー基部と、
前記バー基部の軸線に直交する方向のバー折り畳み回転中心で、前記バー基部の先端に回転自在に連結される腕乗せ部と、を有する、
脊椎撮影用椅子。
【請求項６】
請求項５に記載の脊椎撮影用椅子であって、
前記座部における一対の前記両側辺部のそれぞれに前記バー基部が設けられ、
一対の前記バー基部の一方に前記腕乗せ部が連結され、
前記腕乗せ部が、他方の前記バー基部と解除自在に結合される、
脊椎撮影用椅子。
【請求項７】
請求項１〜４のうちいずれか一項に記載の脊椎撮影用椅子であって、
前記後辺部を挟む一対の両側辺部のそれぞれの位置で固定及び固定解除され、前記座部に対して抜去自在かつ連結された一対のバー基部を有する保持バーが取り付けられる、
脊椎撮影用椅子。
【請求項８】
請求項５〜７のうちいずれか一項に記載の脊椎撮影用椅子であって、
前記バー基部が複数の回転位置で解除可能にロックされる、
脊椎撮影用椅子。
【請求項９】
請求項１〜８のうちいずれか一項に記載の脊椎撮影用椅子であって、
前記座部及び前記背もたれ部は、前記Ｘ線検出器の移動範囲に応じた領域が、金属部材を排除した金属不使用部となっている、
脊椎撮影用椅子。
【請求項１０】
請求項１〜９のうちいずれか一項に記載の脊椎撮影用椅子であって、
前記後辺部を挟む一対の両側辺部を支持する一対の側板部と、
前記側板部の前記座部と反対側の側板下端に基枠部が固定され、前記座部と同一平面となった前記背もたれ部に加わる臥位荷重による前記背もたれ部に設けられたヘッドレストを下降させる方向の回転モーメントを支持する転倒防止用枠部が前記基枠部に延設されたベースフレームと、を更に備える、
脊椎撮影用椅子。
【請求項１１】
請求項１０に記載の脊椎撮影用椅子であって、
前記ベースフレームを床面上で移動自在に支持する複数のキャスターと、前記ベースフレームの床面上での移動を規制するストッパーとが、前記ベースフレームに設けられる、
脊椎撮影用椅子。
【発明の詳細な説明】
【技術分野】
【０００１】
本発明は、例えばＸ線撮影の対象となる患者が座る脊椎撮影用椅子に関する。
【背景技術】
【０００２】
従来、医療機器の１つとしてＸ線撮影時に人体を支持するために使用される器具が知られている。例えば特許文献１に開示されるディジタル式Ｘ線カセットを備えた患者支持体は、基部分と、この基部分の上に位置する患者支持部分とを含む。患者支持部分は、背中部分と座部分と脚部分とを有するデッキを含む。背中部分には、ディジタル式Ｘ線カセットを受容する空間が設けられる。座部分と脚部分とには、それぞれ別個のディジタル式Ｘ線カセットを受容する空間が設けられる。ディジタル式Ｘ線カセットは、３つの受容空間の１つ以上に装着される。この患者支持体によれば、ディジタル式Ｘ線カセットが患者支持体に接続されるので、医師や放射線技師は、患者の背中、尻、脚のいずれか又は複数に対するディジタル式Ｘ線イメージをディジタル式Ｘ線カセットにより捕獲可能にＸ線ジェネレータを簡単に操作できる。
【０００３】
特許文献２に開示される車椅子は、座部と、この座部に略垂直に取り付けられた背もたれ支柱及び背もたれ支柱を横断するよう背もたれ支柱に着脱可能に取り付けられた本体を備えた背もたれ部と、背もたれ支柱に連設された把持部と、車輪と、車輪の接地面に対して略垂直に車輪に接続された前方下部支柱と、車輪の接地面に対して略垂直に車輪に接続された後方下部支柱とを有する。背もたれ支柱は、車輪の接地面に対して略垂直である。本体は、Ｘ線透過性材料で構成される。背もたれ支柱は、後方下部支柱に一直線に連設される。把持部は、着脱及び回動可能に背もたれ支柱に連設される。この車椅子によれば、普段は一般の車椅子と同様に移動用等に使用でき、Ｘ線撮影の時は他の椅子等に座りかえることなく、そのままリーダー撮影台やブッキー撮影台等の一般のＸ線撮影装置を利用して、坐位、半坐位及び臥位で、前後（正面）方向、側面方向及び斜位方向において、Ｘ線撮影を行うことができる。
【０００４】
特許文献３に開示される病院用の多機能車椅子は、座席と背部を前の２本脚のみで支持するためその脚を、四隅にキャスターを装着した車台の四角枠の前辺両端に固定した柱に、高さ調節装置を介して差し込み、座席下に空間を設けて、そこにベッドを挿入し、肘置きを外して患者の移動が楽になるようにしている。また、この多機能車椅子は、各種部材を固定して診療用器具の取付けを可能にし、座席に座したまま診療、検査を受けられるようにシートベルトを備え、特にＸ線撮影を座姿勢で行い得るよう、フィルムカセッテ受枠を背部裏面に取付けている。この多機能車椅子によれば、病院用の車椅子で患者のベッドとの移動を楽にし、各種付属品の取付けを可能にして座したまま診療を受けられ、特に重症患者を座姿勢に固定してＸ線撮影を可能にすることで、適確な診断を可能としている。
【０００５】
特許文献４に開示されるＸ線撮影用車椅子は、手押しハンドル枠を足受け台と連動しつつ、その車体フレームに対する水平な支点ピンの廻りにほぼ垂直な起立状態から、車体フレームや足受け台との全体的なベッドになるほぼ水平の伏倒状態へ、又はその逆に起伏操作できるように定めると共に、手押しハンドル枠の背後へ上下一対の平行なスライドガイドレールを付属一体化させて、その両スライドガイドレールの相互間へＸ線撮影用フィルムカセットのホルダーを、横方向から抜き差し自在に差し込み使用するように定めている。このＸ線撮影用車椅子によれば、患者をすばやく便利にＸ線撮影できる車椅子とすることができる。
【先行技術文献】
【特許文献】
【０００６】
【特許文献１】特表２００３−５０１１１５号公報
【特許文献２】特許第４０５０７８５号公報
【特許文献３】実開平６−１９７２０号公報
【特許文献４】特開２００４−２４２８９８号公報
【発明の概要】
【発明が解決しようとする課題】
【０００７】
ところで、高齢化社会である現在、加齢に従って骨密度は減少し、身体各部位での骨折が見られるようになってきている。その中でも脊椎圧迫骨折は、ＱＯＬ（quality of life）の低下を招きかねない疾患であるため、正確な診断、的確な治療が必要となる。脊椎圧迫骨折を起こした患者の診断には、脊椎の正面を仰臥位で、脊椎の側面を仰臥位及び座位でＸ線撮影することが必要不可欠となる。
【０００８】
しかしながら、脊椎圧迫骨折を起こした患者にとって座位から仰臥位、仰臥位から座位への体位変換、車椅子等から撮影台への移動は圧迫骨折による疼痛を伴い、また撮影（検査）に要する時間もかなりの時間を要する。換言すれば、一定時間に処理可能な検査量（言い換えると、検査スループット）が減る。また、座位から仰臥位、仰臥位から座位への体位変換、撮影台への移動、及び撮影台上での最適位置への移動は、疼痛を生じさせるのみならず、被写体に位置ずれが生じ、画像の撮影ごとに拡大率に差が発生するなどして撮影の再現性を低下させる。なお、本明細書中、「撮影の再現性」とは、例えば撮影日数に間隔を空けて複数回Ｘ線撮影しても、患者の体位（つまり、撮影時の患者の仰臥位、座位の状態）に差が生じにくい性質を言う。
【０００９】
これに加え、例えば特許文献２の図８、特許文献３の図１に示される構成は、背部（背もたれ部）が低いため、撮影の都度、脊椎に横回転の異なるひねりが発生する場合があり、これによっても撮影の再現性を低下させる。また、特許文献２の図５に示すように脊椎圧迫骨折の患者にとって座位撮影時に両手を高く上へ挙げる姿勢は疼痛を招き、これによっても脊椎にひねりが発生しやすく、撮影の再現性を低下させる。なお、特許文献２の図５において、同文献の図１に示す背もたれ部を使用すれば、座位撮影時の画像に金属部材が映り込む虞が生じる。
【００１０】
また、特許文献２の図１１の構成は、背中を後屈させる姿勢（半座位）へ背もたれ部を傾斜させると、後方へ転倒する虞がある。これに対し、特許文献４の図１６に示される構成は、バックレストが水平となったときには有効であるが、背もたれ部を傾斜させた半座位の場合には補助車輪支持脚及び補助自在車輪が接地せず、やはり上記同様に、後方へ転倒する虞が生じる。
【００１１】
更に、特許文献１〜４の何れの構成も患者に移動を強いることなく、座部と背もたれ部の境部分、即ち、胸椎、腰椎、仙骨に渡る部分を一枚の画像（フィルム）で撮影することは困難であることが予想可能である。
【００１２】
本発明は、上記状況に鑑みてなされたもので、患者の移動や体位変換に伴う痛みを軽減し、検査スループットを向上させ、且つ撮影の再現性を向上させることができる脊椎撮影用椅子を提供することを目的とする。
【課題を解決するための手段】
【００１３】
本発明は、床面に対して平行に配置される方形板状の座部と、前記座部の後辺部に沿う方向の回転中心で回転自在に支持される背もたれ部と、前記背もたれ部を前記座部に対して略垂直な位置から同一平面となる水平な位置までの間の複数の傾斜角度でロックするリクライニング機構と、前記座部の下面に近接して平行かつスライド自在に支持され、同一平面となった前記座部及び前記背もたれ部の間に渡って移動可能となるＸ線検出器と、を備える、脊椎撮影用椅子である。
【００１４】
この脊椎撮影用椅子によれば、背もたれ部が、座部に回転自在に支持され、リクライニング機構によって、座部に対して略垂直な位置（例えば垂直な位置から１０度後傾した位置）から同一平面となる水平な位置まで配置が可能となる。Ｘ線フィルムに対応するＸ線検出器は、座部の下面に近接して平行かつスライド自在に支持され、同一平面となった座部及び背もたれ部の間に渡って移動が可能となっている。これにより、座位側面の撮影から、そのまま仰臥位正面の撮影を行うことが可能となる。つまり、脊椎撮影用椅子は、一連の撮影を患者の移動なく行うことができる。また、正面撮影時に、撮影台の中央付近に患者に移動してもらう必要がなく、圧迫骨折を起こしている患者に疼痛が生じる困難な動作を強いることがない。
また、脊椎撮影用椅子は、一度椅子に座れば、座位での側面撮影と、背もたれ部をリクライニングさせた仰臥位での側面撮影と、そのまま仰臥位での正面撮影とができる。このため、患者移動・装置セッティングの大幅な時間短縮が可能となる。
脊椎撮影用椅子は、座位の側面撮影を行い、そのまま背もたれ部をリクライニングさせることによって、患者が移動することなく、仰臥位の側面を撮影する。その際には、Ｘ線管球装置、被写体、Ｘ線検出器のＸ線束方向の幾何学的配置が変わらないため、座位と仰臥位で拡大率の差による画像の違いが生じない。また、患者が脊椎撮影用椅子に座ってから背もたれ部が後方へ倒されて仰臥位の姿勢の状態となっても、背もたれ部が長尺に形成されていることで、背もたれ部が患者の後頭部を安全に支持できるので、患者が後方に転倒することがなくなる。
【００１５】
また、本発明は、前記後辺部に対して前記座部とは反対側にヘッドレストを、更に有する、脊椎撮影用椅子である。
【００１６】
この脊椎撮影用椅子によれば、脊椎撮影用椅子は、背もたれ部が、座部の後辺部に対して座部と反対側に設けられたヘッドレストまでを全長とする長尺に形成されているため、背もたれ部を若干倒し（例えば背もたれ部が１０度後傾され）、背中、両肩を背もたれ部に平行に密着させることにより、座位撮影時に脊椎の横回転の捻じれが生じにくくなる。これにより、撮影回毎の位置に差が生じにくくなり、画像の比較が正確に行えるようになり、撮影画像による正確な診断が可能となる。
【００１７】
また、本発明は、前記座部及び前記背もたれ部には、人体への接触面から映り込み防止距離と等しい厚みを有するクッション性のＸ線透過マットが人体支持面の側に付設されている、脊椎撮影用椅子である。
【００１８】
この脊椎撮影用椅子によれば、座部及び背もたれ部に、クッション性を有するＸ線透過マットが設けられ、Ｘ線透過マットは、Ｘ線撮影時における座部及び背もたれ部の金属部材からなる構造部の映り込み防止距離分の厚みで形成される。患者は、座部及び背もたれ部に支持されたとき、座部及び背もたれ部の金属部材からなる構造部から、映り込み防止距離分、離間して配置される。これにより、側面撮影時に、構造部が画像に映り込むことを容易に防止することが可能となる。また、Ｘ線透過マットは、Ｘ線吸収の少ないやわらかい材質を使用し、厚みも持たせているため、背骨が張り出している患者が寝ても痛みを生じにくくすることができる。
【００１９】
また、本発明は、前記リクライニング機構には、前記背もたれ部の回転を抑制するダンパと、前記座部から垂直に起立して前記背もたれ部のロックを解除するロック解除レバーが備えられ、前記ロック解除レバーは、前記座部から抜去自在に取り付けられる、脊椎撮影用椅子である。
【００２０】
この脊椎撮影用椅子によれば、背もたれ部は、ロック解除レバーによってロックが解除されると、背中からの荷重によって回転が開始されるが、ダンパの抵抗によって、回転速度が抑制される。即ち、背もたれ部分が急に倒れることがなく、次のロック位置までの回転速度が自由回転の場合に比べ低速となって緩やかに回転する。
また、ロック解除レバーは、レバー基部が、Ｘ線透過マットの下側で座部に取り付けられている。これにより、ロック解除レバー、及びロック解除レバーが装着されるリクライニング機構の接続部が、映り込み防止距離の間から除外されて、側面撮影時の画像に映り込むことがない。
【００２１】
また、本発明は、前記座部には、保持バーが取り付けられ、前記保持バーは、前記回転中心と同一方向のバー基端回転中心で、前記後辺部を挟む一対の両側辺部の少なくとも一方に回転自在に支持されるバー基部と、前記バー基部の軸線に直交する方向のバー折り畳み回転中心で、前記バー基部の先端に回転自在に連結される腕乗せ部と、を有する、脊椎撮影用椅子である。
【００２２】
この脊椎撮影用椅子によれば、保持バーの腕乗せ部は、バー折り畳み回転中心で回転されることにより、バー基部と平行な折り畳み位置から、バー基部に直交する腕部保持位置へ展開可能となる。腕部保持位置となった腕乗せ部は、患者が座部に座った際、丁度、患者の胸部の前方で左右に延在する。患者は、側面撮影時、この腕乗せ部に、両腕部を乗せる。これにより、保持バーは、側面撮影時に、患者をリラックスした状態にさせることができるとともに、Ｘ線撮影時に両腕部が撮影画像に映り込むことを防止できる。
【００２３】
また、本発明は、前記座部における一対の前記両側辺部のそれぞれに前記バー基部が設けられ、一対の前記バー基部の一方に前記腕乗せ部が連結され、前記腕乗せ部が、他方の前記バー基部と解除自在に結合される、脊椎撮影用椅子である。
【００２４】
この脊椎撮影用椅子によれば、保持バーは、一対のバー基部を有する。一対のバー基部は、腕部保持位置において、一対の両側辺部の前後方向同位置から起立する。腕乗せ部は、一対のバー基部の一方に連結され、その先端側が起立している他方のバー基部の先端側（上端側）に結合される。つまり、保持バーは、座部を挟んでアーチ状（門型）となる。この保持バーによれば、腕乗せ部に加わる荷重に対する強度を高めることができる。
【００２５】
また、本発明は、前記後辺部を挟む一対の両側辺部のそれぞれの位置で固定及び固定解除され、前記座部に対して抜去自在かつ連結された一対のバー基部を有する保持バーが取り付けられる、脊椎撮影用椅子である。
【００２６】
この脊椎撮影用椅子によれば、保持バーは、座部に対して抜き去りが可能となり、更に連結された一対のバー基部を有する。保持バーは、例えば患者が側面のＸ線撮影時にはバー基部が連結された部分に両腕を伸ばす等により、患者のＸ線撮影時のリラックス状態に寄与可能となる。また、保持バーは、例えば患者の臥位時のＸ線撮影時には座部から取外しておくことで、撮影画像への映り込みを防ぐことが可能となり、医者や放射線技師にとって高精度な診断が可能となる。
【００２７】
また、本発明は、前記バー基部が複数の回転位置で解除可能にロックされる、脊椎撮影用椅子である。
【００２８】
この脊椎撮影用椅子によれば、保持バーのバー基部が、それぞれの回転位置で、解除可能にロックされる。これにより、体格の異なる患者のそれぞれに対し、最適な位置への腕乗せ部の配置が可能となる。
【００２９】
また、本発明は、前記座部及び前記背もたれ部は、前記Ｘ線検出器の移動範囲に応じた領域が、金属部材を排除した金属不使用部となっている、脊椎撮影用椅子である。
【００３０】
この脊椎撮影用椅子によれば、座部及び背もたれ部が同一平面となった状態で、Ｘ線検出器が、座部及び背もたれ部の間に渡って移動が可能となる。これにより、脊椎撮影用椅子は、胸椎、腰椎、仙骨に渡る所望の部分を、移動させたＸ線検出器によって一枚の画像（フィルム）で撮影することが可能となる。この際、Ｘ線検出器の移動範囲に応じた座部及び背もたれ部の領域は、金属不使用部となっている。これにより、仰臥位の正面撮影時において、画像に異物（金属部材）の映り込むことが防止され、診断のよりしやすい画像が得られることになる。
【００３１】
また、本発明は、前記後辺部を挟む一対の両側辺部を支持する一対の側板部と、前記側板部の前記座部と反対側の側板下端に基枠部が固定され、前記座部と同一平面となった前記背もたれ部に加わる臥位荷重による前記背もたれ部に設けられたヘッドレストを下降させる方向の回転モーメントを支持する転倒防止用枠部が前記基枠部に延設されたベースフレームと、を更に備える、脊椎撮影用椅子である。
【００３２】
この脊椎撮影用椅子によれば、ベースフレームにおいて、一対の側板部における座部と反対側の側板下端に固定された基枠部に転倒防止用枠部が延設されるので、患者が臥位におけるＸ線撮影の際に背もたれ部が床面と平行となるように寝た場合でもシーソーのように患者の頭が床面に向かって傾くことが無く、更にベースフレームの基枠部に固定された一対の側板部が座部を強固に支持するので座部が患者の頭尾方向に移動することが無いので、患者が臥位におけるＸ線撮影を安心、安定して行うことができる。
【００３３】
また、本発明は、前記ベースフレームを床面上で移動自在に支持する複数のキャスターと、前記ベースフレームの床面上での移動を規制するストッパーとが、前記ベースフレームに設けられる、脊椎撮影用椅子である。
【００３４】
この脊椎撮影用椅子によれば、座位への動作過程で患者から加えられた荷重によってベースフレームが移動せず、患者の安全な着座が可能となる。また、脊椎撮影用椅子は、患者を支持した状態で、ストッパーの移動規制が解除されることで、患者を載置したままキャスターによる移動が可能となる。これにより、脊椎撮影用椅子は、患者に対する頭尾方向のＸ線入射点の調整が、ベースフレームの移動によって容易に微調整可能となる。
【発明の効果】
【００３５】
本発明によれば、患者の移動・体位変換に伴う痛みを軽減し、検査スループットを向上させ、且つ撮影の再現性を向上させることができる。
【図面の簡単な説明】
【００３６】
【図１】本実施形態の脊椎撮影用椅子の斜視図
【図２】図１に示した脊椎撮影用椅子の側面図
【図３】図１に示した脊椎撮影用椅子が水平状態となったときの平面図
【図４】図３に示した脊椎撮影用椅子を同図の右側より見た側面図
【図５】図４に示した脊椎撮影用椅子を足先側より見た正面図
【図６】図４に示した脊椎撮影用椅子を頭部側より見た正面図
【図７】腕乗せ部が畳まれた保持バーを示す要部拡大斜視図
【図８】座位撮影時に患者を支持した図１に示した脊椎撮影用椅子の斜視図
【図９】座位撮影時の患者の背中部分と背もたれ部の位置関係を表した平面図
【図１０】正面撮影時の仰臥位となった患者を支持した図４に示した脊椎撮影用椅子の斜視図
【図１１】一対のバー基部を備える変形例に係る保持バーを備えた脊椎撮影用椅子の正面図
【発明を実施するための形態】
【００３７】
以下、適宜図面を参照しながら、本発明に係る脊椎撮影用椅子の内容を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００３８】
図１は、本実施形態の脊椎撮影用椅子１０の斜視図である。本実施形態の脊椎撮影用椅子１０は、例えば脊椎圧迫骨折の診断用のＸ線撮影に好適に用いることができる。脊椎圧迫骨折では、撮影日時を所定期間（例えば１〜２週間程度）空けて複数回撮影するために経過観察が必要なので、撮影の度にポジショニング（つまり、撮影時における患者の姿勢）の再現性が要求される。これに加え、患者の疼痛を極力抑えること、撮影スループットの向上が要求される。このような要請を実現可能にすべく、脊椎撮影用椅子１０は、座部１１と、背もたれ部１２と、リクライニング機構１３と、Ｘ線検出器１６と、を主要な構成として有している。
【００３９】
図２は、図１に示した脊椎撮影用椅子１０の側面図である。座部１１は、床面に沿って配置され、方形板状に形成される。座部１１は、左右幅方向が例えば６００ｍｍ程で形成される。被写体１７（図８参照）としての患者が座位となる有効着座幅は、５００ｍｍ程となる。これにより、脊椎撮影用椅子１０は、左右幅方向の余長を小さくし、被写体１７を座部１１の中央に位置決めしやすくしている。なお、被写体１７には、患者が含まれる。以下、本明細書では被写体１７を患者とも称す。
【００４０】
座部１１は、後辺部１８（図３参照）の反対側に、脛骨に沿う足当板１９が、背もたれ部１２の回転中心２０と同方向の足当板回転軸２１によって回転自在に接続される。足当板１９は、座位において、図１に示すように、脛骨に沿う方向に配置される。なお、以降の説明において、回転中心２０は、例えば図７に示すように、座部１１を両側から挟む左右一対の円盤体のような構造（つまり、軸方向が短い扁平な外筒と内筒とが相対回転自在に嵌合するような回転部）であるが、円盤体のような構造ではなく単に棒状の回転軸の構造でもよい。また、本明細書において、以降の説明でも回転中心は上記説明した概念と同様の概念を有するとする。
【００４１】
脊椎撮影用椅子１０に座った患者に対して、Ｘ線管球装置２２を使用することによって、側面撮影が行われる。Ｘ線管球装置２２は、Ｘ線照射部２３（図１０参照）と、側方Ｘ線検出器２４と、昇降装置２５と、Ｘ線照射部２３を患者の側方から正面へ移動させる可動アーム（図示略）と、制御装置としてのコンピュータ（図示略）等を備える。側方Ｘ線検出器２４は、昇降装置２５によって上下方向の位置が調整可能となる。可動アームや昇降装置２５は、コンピュータによって位置が制御される。例えば、Ｘ線管球装置２２は、コンピュータに接続される表示装置に表示された撮影姿勢をコンピュータに接続された入力装置から入力することにより、入力した撮影方向へ自動で配置されるように動作が制御される。
【００４２】
Ｘ線照射部２３は、高電圧発生装置（図示略）でＸ線管球に、高電圧を印加する。これにより、Ｘ線管球の陰極からの電子ビームを陽極のターゲットに照射させてＸ線を生成する。
【００４３】
側面撮影時、側方Ｘ線検出器２４とＸ線照射部２３との間隔は、１２００ｍｍに設定される。脊椎撮影用椅子１０は、側方Ｘ線検出器２４にほぼ接して配置される。従って、脊椎撮影用椅子１０とＸ線照射部２３との間には、約６００ｍｍの空間が空く。この空間は、医師や放射線技師の作業スペースとなる。
【００４４】
座部１１の背中側となる後辺部１８には、安全ベルト２６が取り付けられている。安全ベルト２６は、患者の容易な固定が可能な面ファスナやマジックテープ（登録商標）などによって締結及び締結解除がなされる。
【００４５】
背もたれ部１２は、座部１１と同じ幅で形成される。背もたれ部１２は、従来の背もたれ部に比べ、ヘッドレスト２７（足先頭方向が２５０ｍｍ程）を有する長尺なもの（足先頭方向が６５０ｍｍ程）として形成される。背もたれ部１２は、座部１１の後辺部１８を挟む一対の両側辺部２８に、後辺部１８に沿う方向の回転中心２０で回転自在に支持される。背もたれ部１２は、座位撮影時に、座部１１に対して略垂直な位置から若干後方へ倒された姿勢（半座位）に設定される。この半座位の傾斜角度は、例えば３０°を上限として評価が可能となる。評価に好ましい背もたれ部１２の傾斜角度は、例えば５°〜１０°となる。図１に示す例では、背もたれ部１２は、例えば１０°傾斜されている。背もたれ部１２は、座部１１の反対側にヘッドレスト２７を有する。ヘッドレスト２７は、背もたれ部１２に脱着自在となる。
【００４６】
座部１１及び背もたれ部１２は、左右幅方向の両側に、構造部としての金属部材からなるフレーム（図示略）が設けられている。これら左右一対のフレームの間は、後述する金属不使用部となる。この金属不使用部は、Ｘ線検出器１６の移動範囲に対応して設定される。このため、左右一対のフレームは、金属不使用部の外側で、直ちに横架材によって結合されて強度が確保されている。
【００４７】
座部１１及び背もたれ部１２には、支持した人体（つまり、患者）への接触面から映り込み防止距離と等しい厚みＤを有するクッション性を備えたＸ線透過マット２９が人体支持面の側に付設されている。Ｘ線透過マット２９としては、例えばクッション性を有しＸ線を吸収しにくい材質であるイノアック社製  ＰＥライト  β−２００  厚さ６０ｍｍなどを好適に用いることができる。
【００４８】
背もたれ部１２の背面側には、左右一対の移動用取手３０が取り付けられている。脊椎撮影用椅子１０は、背もたれ部１２を倒すとき、座位の状態、及び仰臥位の状態での移動時に、この移動用取手３０が把持されて移動される。
【００４９】
図３は、図１に示した脊椎撮影用椅子１０が水平状態となったときの平面図である。リクライニング機構１３は、背もたれ部１２を座部１１に対して略垂直な位置から同一平面となる水平な位置までの間の複数の傾斜角度でロックする。脊椎撮影用椅子１０は、背もたれ部１２が床面に平行な水平方向の位置に回転される（つまり倒される）ことでフラットな撮影台となる。
【００５０】
リクライニング機構１３には、ダンパと、ロック解除レバー３１とが取り付けられる。ダンパとしては、オイルダンパ３２を好適に用いることができる。オイルダンパ３２は、作動流体を封入したシリンダ内にピストンを設け、ピストンにより画成されるシリンダ内の２つのシリンダ室をオリフィス等の速度調整流路により接続して構成される。ピストンに荷重が加わると、流体が２つのシリンダ室の間を、オリフィスを介し抵抗を有して移動する。これにより、ピストンの一方向の移動に制動力（減衰力）を付与できる。脊椎撮影用椅子１０では、背もたれ部１２の回転に制動力を付与できる。ピストンの逆方向の移動には、逆流防止弁等を開く。脊椎撮影用椅子１０では、背もたれ部１２にこのピストンに相当する部分が接続される。なお、ダンパとしては、この他にガスシリンダーなどの流体圧シリンダが用いられてもよい。
【００５１】
図４は、図３に示した脊椎撮影用椅子１０を同図の右側より見た側面図である。オイルダンパ３２は、背もたれ部１２の急な倒れ（回転）を抑制する。ロック解除レバー３１は、座部１１から略垂直又は垂直に起立し、背もたれ部１２のロックを解除する。オイルダンパ３２は、ロック解除レバー３１を背側に引くことによって、背もたれ部１２をリクライニングさせることができ、ロック解除レバー３１を足先側に戻すと背もたれ部１２の回転（倒れ）を固定する。ロック解除レバー３１は、レバー基部３３が、Ｘ線透過マット２９よりも下側において座部１１から抜去自在に取り付けられている。これにより、レバー基部３３は、抜去の後にはＸ線撮影時に撮影画像として被写体内への映り込みが生じないようになされている。
【００５２】
図５は、図４に示した脊椎撮影用椅子１０を足先側より見た正面図である。側板部１４は、座部１１の一対の両側辺部２８を支持する。側板部１４は、座部１１、背もたれ部１２、患者の全荷重を支持するため、高強度の厚肉金属板からなる。なお、側板部１４の中央の穴は、軽量化のための肉抜き穴である。
【００５３】
ベースフレーム１５は、側板下端３４が基枠部３５（図２参照）に固定される。ベースフレーム１５は、転倒防止用枠部３６が、この基枠部３５に延設される。転倒防止用枠部３６は、座部１１と同一平面となった背もたれ部１２に加わる臥位荷重によるヘッドレスト２７を下降させる方向の回転モーメントを支持する。ベースフレーム１５は、矩形状に形成され、足先頭方向の全長が、例えば１５００ｍｍ程で設定されている。
【００５４】
ベースフレーム１５を床面上で移動自在に支持する複数のキャスター３７と、ベースフレーム１５の床面上での移動を規制するストッパー３８とが、ベースフレーム１５に設けられている。キャスター３７は、ベースフレーム１５の四隅に取り付けられている。ストッパー３８は、例えばベースフレーム１５の前側と、左右の３箇所に設けられている。なお、ベースフレーム１５の前側に設けられる一対のストッパー３８は、一方が解除用となる。
【００５５】
ベースフレーム１５の足先側には、踏み台３９が設けられる。踏み台３９は、座位撮影時に患者が座部１１に腰掛ける際のステップとなる。踏み台３９は、例えば足先頭部方向に３５０ｍｍ程の大きさが確保される。踏み台３９の表面には凹凸の形成されたゴム製の滑り止めが貼着される。ベースフレーム１５の踏み台３９の近傍には、持ち手部４０が起立している。持ち手部４０は、患者が踏み台３９に足をかけて座位となる際の支えとなる。
【００５６】
図６は、図４に示した脊椎撮影用椅子１０を頭部側より見た正面図である。Ｘ線検出器１６は、ベースフレーム１５に対向する座部下面に近接して平行に配置される。Ｘ線検出器１６は、ベースフレーム１５にスライド自在に支持される。Ｘ線検出器１６は、同一平面となった（つまり、床面と平行状態になった）座部１１及び背もたれ部１２の間に渡ってスライドして移動可能となる。この移動距離は、例えば８００ｍｍ程を上限に可能となっている。脊椎撮影用椅子１０は、患者の仰臥位での正面撮影時、Ｘ線検出器１６が背もたれ部１２の全面を覆う位置から座部１１の全面を覆う位置まで移動するので患者の躯幹部全体の撮影を撮影漏れなく行うことができる。
【００５７】
スライダー４１は、ベースフレーム１５に固定された足先頭方向に延在する一対のスライドレール４２（図５、図６参照）によって床面と平行に摺動自在に支持される。スライドレール４２の摺動は、例えば摺動規制レバー４３の固定解除により可能となり、一方で摺動規制レバー４３の固定により規制される。
【００５８】
Ｘ線検出器１６は、例えば患者の仰臥位における正面撮影時で使用される。従って、Ｘ線検出器１６は、通常、水平方向に配置されて使用される。
【００５９】
Ｘ線検出器１６は、スライド移動される上面の開口した扁平箱状の筐体４４と、この筐体４４に対し、座部１１の左右幅方向のいずれか一方から引き出しが可能となるトレイ４５（図６参照）と、を有する。トレイ４５の引き出し側には把手４６が形成される。トレイ４５は、この把手４６に医師又は放射線技師の手指を掛けることによって、図６に示すように脊椎撮影用椅子１０の側方から引き出しが容易に行える。Ｘ線検出器１６は、この引き出されたトレイ４５に例えばＸ線撮影用フィルムがセットされる。Ｘ線撮影用フィルムは、トレイ４５の引き出し側端面（例えば側方Ｘ線検出器２４と反対側の端面）に形成される切欠によって、トレイ４５からの取り出しが容易となっている。
【００６０】
Ｘ線検出器１６は、カセッテ（受像部）と称すことができる。Ｘ線検出器１６は、Ｘ線撮影用フィルムカセッテの他、ディジタル式カセット（ＣＲ）や平面検出器（ＦＰＤ）を用いることができる。ディジタル式カセットは、Ｘ線撮影用フィルムカセッテに画像を形成せずに、コンピュータの表示装置に撮像情報をイメージとして表示し且つ記憶部に記憶させることができる。撮像情報は、例えば電気通信ネットワークを介して異なる場所（例えばＸ線撮影室の隣の操作室）にいる医師や放射線技師の間で送受が可能となる。
【００６１】
座部１１及び背もたれ部１２は、Ｘ線検出器１６の移動範囲に応じた領域が、金属部材を排除した金属不使用部４７（図３参照）となっている。換言すれば、座部１１及び背もたれ部１２は、この金属不使用部４７を除いた領域に、金属部材を用いた構造部が配置されている。
【００６２】
図７は、腕乗せ部４８が畳まれた保持バー４９を示す要部拡大斜視図である。座部１１には保持バー４９が予め備え付けられるように取り付けられており、保持バー４９は、バー基部５０と、腕乗せ部４８と、を有してなる。バー基部５０は、座部１１に対して背もたれ部１２が回転するときの回転中心２０と同一方向となるバー基端回転中心５１で、一対の両側辺部２８の少なくとも一方に回転自在に支持される。バー基部５０は、起立位置から水平位置までの少なくとも９０°の角度で回転される。腕乗せ部４８は、バー基部５０の軸線に直交し且つ回転中心２０に直交する方向のバー折り畳み回転中心５２で、バー基部５０の先端に回転自在に連結される。腕乗せ部４８は、座部１１と平行な向きから、外側に２７０°の角度で回転され、バー基部５０と平行に折り畳み可能となる。
【００６３】
本実施形態において、バー基部５０と腕乗せ部４８とは、同方向の２つのバー折り畳み回転中心５２を有するジョイントプレート５３によって接続される。これにより、腕乗せ部４８の２７０°の回転（つまり、図７に示す腕乗せ部４８の状態から腕乗せ部４８が２７０度、時計周りに回転した後の回転中心２０と同方向の状態までの回転）を容易としている。なお、保持バー４９は、１つのバー折り畳み回転中心５２によって折り畳まれてもよい。なお、腕乗せ部４８の表面には腕への反力を緩和する緩衝スポンジなどが取り付けられている。
【００６４】
バー基部５０は、複数の回転位置で解除可能にロックされる。保持バー４９は、バー基部５０が回転されることによって、腕乗せ部４８が、座部１１に座した患者の胸から所望の距離となる位置に調整が可能となる。
【００６５】
次に、脊椎撮影用椅子１０を用いたＸ線撮影の手順を説明する。
【００６６】
図８は、座位撮影時に患者を支持した図１に示した脊椎撮影用椅子１０の斜視図である。脊椎は、頸椎（７椎）、胸椎（１２椎）、腰椎（５椎）、仙椎（５椎）及び尾椎（１椎）の約３０個（例外もある）の椎骨から形成されている。椎骨の間には椎間板がある。脊椎は、荷重により椎骨の間が僅かに開閉（可動）する。即ち、脊椎圧迫骨折では、座位では患者自身の自重により、椎骨が潰れ、椎体高が低くなり、仰臥位では潰れた椎骨が自重により開放され、椎体高が高くなる。脊椎圧迫骨折は、この臼状から楔状等に圧縮変形した椎骨の可動性を見ることによって状態が評価される。即ち、圧迫骨折の診断ではどの椎骨に椎体高の変化が生じているのかを調べるために、座位と仰臥位での撮影が必要となる。
【００６７】
脊椎圧迫骨折のＸ線撮影では、座位での側面撮影、仰臥位での側面撮影、仰臥位での正面撮影の少なくとも３つのパターンで撮影が行われる。まず、座位撮影時には、脊椎撮影用椅子１０が、側方Ｘ線検出器２４に近接して移動された後、ストッパー３８によって移動が規制される。患者は、持ち手部４０を握って体を支え、踏み台３９に足をかけ、踏み台３９に乗った後、座部１１に着座する。脊椎撮影用椅子１０は、背もたれ部１２が若干傾斜されている。着座した患者は、背を背もたれ部１２に寄りかかった状態で密着させる。必要に応じて安全ベルト２６が使用される。
【００６８】
脊椎撮影用椅子１０は、保持バー４９が展開されて、腕乗せ部４８が患者の前方に配置される。患者は、両腕を腕乗せ部４８に乗せる。この後、Ｘ線管球装置２２のＸ線照射部２３が、患者の例えば右側に配置される。Ｘ線照射部２３からＸ線が照射されることにより、脊椎の投影画像がＸ線管球装置２２の側方Ｘ線検出器２４によって記録される。
【００６９】
図９は、座位撮影時の患者の背中部分と背もたれ部１２の位置関係を表した平面図である。この座位における側面撮影時、背もたれ部１２が傾斜していることで、患者は、両肩が背もたれ部１２に平行に密着する。そのため、脊椎撮影用椅子１０では、従来のように、脊椎にねじれが生じることがない。
【００７０】
図１０は、正面撮影時の仰臥位となった患者を支持した図４に示した脊椎撮影用椅子１０の斜視図である。座位での撮影に続いて仰臥位での撮影が行われる。脊椎撮影用椅子１０は、座位の状態から、患者を座らせたまま、リクライニング機構１３によって背もたれ部１２を水平となる位置まで傾斜させる。患者は、背もたれ部１２が傾斜され、仰臥位となった状態では、フラットな座部１１及び背もたれ部１２の左右幅方向の既に端にあり、その端には側方Ｘ線検出器２４が位置するので、転落の虞は生じない。
【００７１】
この仰臥位では、まず、側面撮影が行われる。仰臥位での側面撮影では、保持バー４９に手が届かなくなるので、腹部の上に軽量の保持ブロック（図示略）を置き、その上に手を乗せる。これにより、仰臥位における側面撮影時での手の映り込みが防止される。側面撮影においては、脊椎の投影画像がＸ線管球装置２２の側方Ｘ線検出器２４によって記録される。
【００７２】
次に、同じ仰臥位において正面撮影が行われる。仰臥位での正面撮影では、患者は両手を体側におろす。正面撮影では、Ｘ線照射部２３が、患者の上方へ移動される。この仰臥位における正面撮影では、脊椎撮影用椅子１０にスライド自在に設けられたＸ線検出器１６が使用される。
【００７３】
このように、脊椎撮影用椅子１０では、座位から背もたれ部１２をリクライニングさせた仰臥位での側面撮影、仰臥位での正面撮影ができる。これにより、特に側面撮影では座位と仰臥位における拡大率が確実に一定となる。従来のように、撮影台を移動することによる座位と仰臥位での位置ずれや、移動に伴う疼痛も生じない。
【００７４】
なお、脊椎撮影用椅子１０は、脊椎の撮影を行ったあとに、胸部のＸ線撮影や腹部のＸ線撮影をそのまま移動せずに行うこともできる。
【００７５】
また、脊椎撮影用椅子１０は、付属品として異なる形状の複数のスペーサ５４（図２参照）を組み合わせて座部１１と背もたれ部１２の隅部にセットすることができる。スペーサ５４は、座位において、患者と背もたれ部１２との間に、間隙を確保する。これにより、脊椎撮影用椅子１０は、患者の前屈・後屈などの動態撮影を行うことができるようになる。この際、仮に後屈時に患者が後方へ倒れても、長尺の背もたれ部１２が後方に配置されているので、従来よりも安全性が確保される。なお、脊椎圧迫骨折においては、前屈・後屈などの動態撮影は一般的に行われない。
【００７６】
次に、上記した脊椎撮影用椅子１０の構成の作用を説明する。
【００７７】
本実施形態に係る脊椎撮影用椅子１０では、背もたれ部１２が、座部１１に回転自在に支持され、リクライニング機構１３によって、座部１１に対して略垂直な位置（例えば垂直な位置から１０度後傾した位置）から同一平面となる水平な位置まで配置が可能となる。この際、脊椎撮影用椅子１０は、ベースフレーム１５に転倒防止用枠部３６が設けられていることにより、臥位荷重を支持した状態であっても転倒を生じることがない。
【００７８】
Ｘ線フィルムに対応するＸ線検出器１６は、座部１１及び背もたれ部１２の間に渡って移動が可能となっている。これにより、座位側面の撮影から、そのまま仰臥位正面の撮影を行うことが可能となる。つまり、脊椎撮影用椅子１０は、一連の撮影を患者の移動なく行うことができる。
【００７９】
また、正面撮影時に、撮影台の中央付近に患者に移動してもらう必要がなく、圧迫骨折を起こしている患者に疼痛が生じる困難な動作を強いることがない。
【００８０】
また、脊椎撮影用椅子１０は、一度椅子に座れば、座位での側面撮影と、背もたれ部１２をリクライニングさせた仰臥位での側面撮影と、そのまま仰臥位での正面撮影とができる。このため、患者移動・装置セッティングの大幅な時間短縮が可能となる。
【００８１】
従来、座位側面の撮影時におけるＸ線照射部２３、被写体１７、Ｘ線検出器１６のそれぞれのＸ線束方向の幾何学的配置は、仰臥位での撮影時と異なっていた。このため、拡大率が変化し、椎体の変化を正確に評価することが難しかった。また、座位での側面撮影時の画像は、患者の姿勢に回転が加わった場合、脊椎も回転が加わるため、仰臥位での側面撮影時の画像と比較が難しくなった。また、体の長軸もＸ線に対して垂直である必要があるが、患者の姿勢に回転が加わると、垂直度が低下した。
【００８２】
これに対し、脊椎撮影用椅子１０は、座位の側面撮影を行い、そのまま背もたれ部１２をリクライニングさせる。このため、患者は、移動することなく、仰臥位の側面を撮影することができる。その際には、Ｘ線照射部２３、被写体１７、Ｘ線検出器１６のＸ線束方向の幾何学的配置が変わらないため、座位と仰臥位で拡大率の差による撮影画像の違いが生じない。
【００８３】
また、脊椎撮影用椅子１０は、背もたれ部１２が、座部１１の後辺部１８に対して座部１１と反対側に設けられたヘッドレスト２７までを全長とする長尺に形成されている。脊椎撮影用椅子１０は、座位において、背もたれ部１２を若干リクライニング（例えば１０°程傾斜）させた状態で撮影を行う。このため、患者は、背もたれ部１２に寄りかかった状態で撮影を行うことができ、図９に示したように背中、両肩が背もたれ部１２に平行に密着する。その結果、座位撮影時に脊椎の捻じれが生じにくくなる。従って、Ｘ線の照射中心に対する垂直度も向上する。これにより、撮影回毎の位置に差が生じにくくなり、画像の比較が正確に行えるようになり、撮影画像による正確な診断が可能となる。
【００８４】
また、従来、仰臥位での側面の撮影時は、可能な限り撮影台の端に患者を寄せて撮影を行っていた。このため、患者は、ベッドの端に移動するため、転落の可能性があった。これに対し、脊椎撮影用椅子１０は、リクライニングによって仰臥位になった患者がそのまま移動せずに側面撮影が行えるので、撮影台の端への移動に伴う患者転落のリスクが減少する。
【００８５】
また、ベースフレーム１５において、一対の側板部１４における座部１１と反対側の側板下端に固定された基枠部３５に転倒防止用枠部３６が延設されるので、患者が臥位におけるＸ線撮影の際に背もたれ部１２が床面と平行となるように寝た場合でもシーソーのように患者の頭が床面に向かって傾くことが無く、更にベースフレーム１５の基枠部３５に固定された一対の側板部１４が座部１１を強固に支持するので座部１１が患者の頭尾方向に移動することが無いので、患者が臥位におけるＸ線撮影を安心、安定して行うことができる。
【００８６】
また、脊椎撮影用椅子１０では、座部１１及び背もたれ部１２に、クッション性を有するＸ線透過マット２９が設けられ、Ｘ線透過マット２９は、Ｘ線撮影時における座部１１及び背もたれ部１２の金属部材からなる構造部の映り込み防止距離分の厚みで形成される。患者は、座部１１及び背もたれ部１２に支持されたとき、座部１１及び背もたれ部１２の金属部材からなる構造部から、映り込み防止距離分、離間して配置される。これにより、側面撮影時に、構造部が画像に映り込むことを容易に防止することが可能となる。また、Ｘ線透過マット２９は、Ｘ線吸収の少ないやわらかい材質を使用し、厚みも持たせているため、背骨が張り出している患者が寝ても痛みを生じにくくすることができる。
【００８７】
また、脊椎撮影用椅子１０では、座部１１の両側辺部２８における回転中心２０で回転自在に支持された背もたれ部１２が、リクライニング機構１３によって、座部１１に対して略垂直な位置から同一平面となる水平な位置までの間の複数の傾斜角度で回転規制（ロック）される。背もたれ部１２は、患者の背中による荷重が作用することで、水平位置へ向かう方向の回転モーメントが生じる。背もたれ部１２は、ロック解除レバー３１によってロックが解除されると、背中からの荷重によって回転が開始されるが、オイルダンパ３２の抵抗によって、回転速度の増加が抑制される。即ち、背もたれ部分は、急に倒れることがなく、次のロック位置までの回転速度が自由回転の場合に比べ低速となって緩やかに倒れる。
【００８８】
また、ロック解除レバー３１は、レバー基部３３が、Ｘ線透過マット２９の下側で座部１１に取り付けられている。ロック解除レバー３１は、側面撮影時、このレバー基部３３が座部１１におけるリクライニング機構１３から取り外される。これにより、ロック解除レバー３１、及びロック解除レバー３１が装着されるリクライニング機構１３の接続部が、映り込み防止距離の間から外れ、側面撮影時の画像に映り込むことがない。
【００８９】
また、脊椎撮影用椅子１０では、患者が、最初、座位の状態で座部１１に座る。この際、ベースフレーム１５は、ストッパー３８によって固定され、床面上での移動が規制される。これにより、脊椎撮影用椅子１０は、座位への動作過程で患者から加えられた荷重によって移動せず、患者の安全な着座が可能となる。また、脊椎撮影用椅子１０は、患者を支持した状態で、ストッパー３８の移動規制が解除されることで、患者を載置したままキャスター３７による移動が可能となる。これにより、脊椎撮影用椅子１０は、例えば側面撮影時において、脊椎撮影用椅子１０のＸ線検出器１６とは別に設置された側方Ｘ線検出器２４と被写体１７との距離が、ベースフレーム１５の移動によって容易に微調整可能となる。
【００９０】
また、脊椎撮影用椅子１０では、保持バー４９のバー基部５０が、Ｘ線透過マット２９よりも下側において座部１１の両側辺部２８の少なくとも一方に、バー基端回転中心５１によって回転自在に支持されている。バー基部５０は、回転されることで、座部１１に対して垂直な向きに起立して配置が可能となる。このバー基部５０の先端には、バー折り畳み回転中心５２を中心に、腕乗せ部４８が回転自在に連結される。バー折り畳み回転中心５２は、バー基部５０の軸線に直交し且つ回転中心２０（バー基端回転中心５１と同方向）に直交する方向となる。
【００９１】
腕乗せ部４８は、このバー折り畳み回転中心５２で回転されることにより、バー基部５０と平行な折り畳み位置から、バー基部５０に直交する腕部保持位置へ展開可能となる。腕乗せ部４８は、腕部保持位置に配置されることで、座部１１より起立したバー基部５０の先端から、座部１１の両側辺部２８に亘る方向に座部１１を横断して延在する。腕部保持位置となった腕乗せ部４８は、患者が座部１１に座った際、丁度、患者の胸部の前方で左右に延在する。患者は、側面撮影時、この腕乗せ部４８に、両腕部を乗せる。これにより、保持バー４９は、側面撮影時に、両腕部が画像に映り込むことを防止する。また、側面撮影時、従来のように、患者に両腕を高く上へ挙げる姿勢を強いる必要がなくなる。そのため、患者は、座位撮影時に、両手を高く挙げることによる疼痛によって、脊椎にひねりが発生しなくなる。
【００９２】
この脊椎撮影用椅子１０では、保持バー４９のバー基部５０が、例えばラチェット機構によって、段階的に前方へ移動されて胸部からの離間距離の調整が可能となる。バー基部５０は、それぞれの回転位置で、解除可能にロックされる。これにより、体格の異なる患者のそれぞれに対し、最適な位置への腕乗せ部４８の配置が可能となる。
【００９３】
また、バー基部５０は、最も前方に配置されると、ラチェット機構の回転規制が解除される。保持バー４９は、バー基部５０の回転規制が解除されることで、腕乗せ部４８がバー基部５０と平行に折り畳まれた状態で、後方へ回転され、Ｘ線透過マット２９よりも下側の退避位置へ移動が可能となる。なお、保持バー４９は、腕部保持位置に配置されていても、バー基端回転中心５１が膝蓋骨の近傍に位置するので、正面撮影時及び側面撮影時の何れにおいても画像に映り込むことはない。
【００９４】
また、この脊椎撮影用椅子１０では、背もたれ部１２が回転され、座部１１及び背もたれ部１２が同一平面となった状態で、Ｘ線検出器１６が、座部１１及び背もたれ部１２の間に渡って移動が可能となる。これにより、脊椎撮影用椅子１０は、胸椎、腰椎、仙骨に渡る所望の部分を、移動させたＸ線検出器１６によって一枚の画像（フィルム）で撮影することが可能となる。なお、従来のフラットな撮影台を使用した場合においても、同様に、胸椎、腰椎、仙骨に渡る所望の部分を、一枚のフィルムで撮影することはできるが、座位（椅子）から仰臥位（撮影台）への移動が必要となった。脊椎撮影用椅子１０は、座位から仰臥位への患者の移動を伴わずに、これらの部位を一枚のフィルムで撮影することができる。
【００９５】
このようにして、脊椎撮影用椅子１０では、腰椎の何番目が痛みの原因になるかが診断できる正確な画像が得られる。この際、Ｘ線検出器１６の移動範囲に応じた座部１１及び背もたれ部１２の領域は、金属不使用部４７となっている。即ち、脊椎撮影用椅子１０は、強度が要求される金属部材を多用する構造部が、Ｘ線検出器１６の移動範囲に応じた領域から外れた例えば両側辺部２８に集中配置される。これにより、仰臥位の正面撮影時において、画像に異物（金属部材）の映り込むことが防止され、診断のよりしやすい画像が得られる。
【００９６】
次に、変形例に係る脊椎撮影用椅子５５を説明する。
【００９７】
図１１は、一対のバー基部５０を備える変形例に係る保持バー５６を備えた脊椎撮影用椅子５５の正面図である。変形例に係る脊椎撮影用椅子５５は、座部１１における一対の両側辺部２８のそれぞれにバー基部５０、バー基部５７が設けられ、一対のバー基部５０、バー基部５７の一方（バー基部５０）に、腕乗せ部４８が連結されている。腕乗せ部４８は、他方のバー基部５７と結合部５８において解除自在に結合される。バー基部５０、腕乗せ部４８、バー基部５７は、保持バー５６を構成する。
【００９８】
保持バー５６の腕乗せ部４８とバー基部５７との結合構造は、例えば腕乗せ部４８の先端側に縦板片部を形成する。保持バー５６の上端側には、この縦板片部の挿入される縦割りのスリット部を形成する。また、縦板片部とスリット部とに亘って解除可能なロック機構を設けておく。これにより、腕乗せ部４８は、腕部保持位置で縦板片部をスリット部に挿入し、縦板片部とスリット部がロック機構によって固定されることで、バー基部５７と結合が可能となる。
【００９９】
この変形例に係る保持バー５６は、一対のバー基部５０、バー基部５７が、腕部保持位置において、一対の両側辺部２８の前後方向同位置から起立する。腕乗せ部４８は、一対のバー基部５０の一方に連結され、その先端側が起立している他方のバー基部５７の先端側（上端側）に結合される。つまり、保持バー５６は、座部１１を挟んでアーチ状（門型）となる。この保持バー５６では、腕乗せ部４８に加わる荷重に対する強度を高めることができる。
【０１００】
また、この変形例に係る保持バー５６では、一対のバー基部５０、バー基部５７が、座位における患者を挟んで起立する。このため、患者は、一対のバー基部５０、バー基部５７に挟まれる中央に座すことで、座部１１における一対の両側辺部２８の中央に位置あわせ（センター合わせ）される。つまり、一対のバー基部５０、バー基部５７を、側面撮影時における被写体１７のセンター合わせ用の基準として利用することができる。患者を座部１１のセンターに位置合わせすることにより、体格の異なるそれぞれの患者においても、撮影回毎の位置に差が生じにくくなる。これにより、それぞれの患者の側面撮影時に、Ｘ線照射部２３、被写体１７、Ｘ線検出器１６のそれぞれの幾何学的配置を同一にすることができ、拡大率の差をより小さくすることができる。
【０１０１】
従って、本実施形態に係る脊椎撮影用椅子１０によれば、患者の移動・体位変換に伴う痛みを軽減し、検査スループットを向上させ、且つ撮影の再現性を向上させることができる。
【０１０２】
以上、図面を参照しながら実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１０３】
また、保持バーの構造は、上記した本実施形態において説明した保持バー４９や上記変形例において説明した保持バー５６に限定されない。例えば、上記した本実施形態において、保持バーは、例えば互いに対向する一対のバー基部（例えば図６に示すバー基部５０参照）が連結されたコの字型の形状を有し、座部１１の後辺部１８を挟む一対の両側辺部２８における既定の抜去位置で固定及び固定解除が可能なものでもよい。
【０１０４】
ここで、このコの字型の形状を有し座部１１に対して簡単に取付及び取外しが可能な保持バーについて詳述する。
【０１０５】
この保持バーは、連結された一対のバー基部（例えば図６に示すバー基部５０参照）が両側辺部２８のそれぞれの抜去位置に設けられた一対の穴（つまり計２つの穴）に差し込まれることで固定され、これら一対の穴に差し込まれたり引き抜かれたりすることで座部１１に対して抜き去り自在である。従って、脊椎撮影用椅子１０において、上記コの字型の形状を有する保持バーは、座部に対して容易な抜き去りが可能となり、更に連結された一対のバー基部を有するため、例えば患者が側面のＸ線撮影時にはバー基部が連結された部分に両腕を伸ばす等により、患者のＸ線撮影時のリラックス状態に寄与可能となる。また、保持バーは、例えば患者の臥位時のＸ線撮影時には座部から取外しておくことで、撮影画像への映り込みを防ぐことが可能となり、医者や放射線技師にとって高精度な診断が可能となる。なお、この保持バーは、コの字型の形状に限定されず、例えばＬ字型の形状であっても構わない。
【０１０６】
また、上記した本実施形態の脊椎撮影用椅子１０において、背もたれ部１２は、ヘッドレスト２７を有する長尺なものとして説明した。但し、例えば背もたれ部１２がヘッドレスト２７の長さを補う程の十分な長さを有する場合には、脊椎撮影用椅子１０の背もたれ部１２がヘッドレスト２７を有さなくても構わない。言い換えると、患者が脊椎撮影用椅子１０に座ってから背もたれ部１２が後方へ倒されて仰臥位の姿勢の状態となっても、図１に示すヘッドレスト２７の鉛直方向の長さを補う程に背もたれ部１２が鉛直方向に長尺に形成されていることで、背もたれ部１２が患者の後頭部を安全に支持できるので、患者が後方に転倒することがなくなる。
【符号の説明】
【０１０７】
１０…脊椎撮影用椅子
１１…座部
１２…背もたれ部
１３…リクライニング機構
１４…側板部
１５…ベースフレーム
１６…Ｘ線検出器
１８…後辺部
２０…回転中心
２７…ヘッドレスト
２８…両側辺部
２９…Ｘ線透過マット
３１…ロック解除レバー
３２…オイルダンパ（ダンパ）
３３…レバー基部
３４…側板下端
３５…基枠部
３６…転倒防止用枠部
３７…キャスター
３８…ストッパー
４７…金属不使用部
４８…腕乗せ部
４９…保持バー
５０…バー基部
５１…バー基端回転中心
５２…バー折り畳み回転中心
【図１】
2017086480.tif 000003
【図２】
2017086480.tif 000004
【図３】
2017086480.tif 000005
【図４】
2017086480.tif 000006
【図５】
2017086480.tif 000007
【図６】
2017086480.tif 000008
【図７】
2017086480.tif 000009
【図８】
2017086480.tif 000010
【図９】
2017086480.tif 000011
【図１０】
2017086480.tif 000012
【図１１】
2017086480.tif 000013